(57)【特許請求の範囲】
【請求項１】
地上に設置された庭園用床と、該庭園用床の近傍に掘削された地下水採取用井戸と、該地下水採取用井戸と前記庭園用床との間を連絡する給・排水手段とからなり、庭園用床は内底部に水槽部を有し、しかも該水槽部の上方に吸水マットを介して土壌部が形成されているとともに、給・排水手段は地下水採取用井戸から庭園用床の水槽部内に地下水を汲み上げるための汲み上げ手段付き給水管と、水槽部内が規定水位に達した際に上記汲み上げ手段の作動を停止させるリミットスイッチと、水槽部内が規定水位に達して満水となった際に、水槽部からオーバーフローした分の水を前記地下水採取用井戸内に還元させる排水管とからなる、自動灌水装置を備えた地上庭園。
【請求項２】
庭園用床の内底部に有する水槽部には、水槽部内が規定水位に達して満水となった際に、水槽部からオーバーフローした分の水を流出させて貯える濾過室を付設し、しかも該濾過室の内底面より一定高さ位置には、地下水採取用井戸内に還元させるための排水管の先端を臨ませてなるところの、請求項１に記載の自動灌水装置を備えた地上庭園。
【請求項３】
庭園用床の内底部に有する水槽部には、消火用水採取部が設けられているところの、請求項１に記載の自動灌水装置を備えた地上庭園。
【発明の詳細な説明】
【０００１】
【発明の属する技術分野】
本発明は、例えば建物や倉庫あるいは駐車場等の屋上やビルあるいはマンションのベランダ等に設けられる自動的な灌水装置を備えた人工的な地上庭園に関し、節水して管理費用の低減をはかるとともに、自然環境の復元をはかり、また火災等非常災害発生時の消火用水採取源として利用可能とすることを目的とする。
【０００２】
【従来の技術】
従来公知のこの種の地上庭園にあっては、その殆どが水道水を灌水源とし、これを電気的に、あるいは水道水圧力によって一定時間毎に庭園用床の上面に散水するものや、庭園用床の底部に形成した水槽部内に水道水を送り込むものが知られている。
【０００３】
【発明が解決しようとする課題】
しかしながら、上記した従来の灌水装置にあっては、庭園用床の水分が不足しているか否かに関係なしに一定時間毎に自動給水することになるために無駄な灌水も多くなり、しかも水道水利用であるところから著しくコスト高となるのを免れないのみならず、夏季の渇水期には灌水不足になりがちである。  また場合によっては灌水過剰により庭木等植物の根腐れによる枯渇を引き起こすこともあった。
【０００４】
【課題を解決するための手段】
そこで本発明にあっては、上記した従来技術における種々の課題を解決し、コストの低減をはかるとともに、灌水過剰をなくし、また火災発生等非常災害時の給水源としても利用でき、しかも自然環境の復元をも可能にしたものであって、具体的な内容は以下に記す通りである。
【０００５】
すなわち本発明は、地上に設置された庭園用床と、該庭園用床の近傍に掘削された地下水採取用井戸と、該地下水採取用井戸と前記庭園用床との間を連絡する給・排水手段とからなり、庭園用床は内底部に水槽部を有し、しかも該水槽部の上方に吸水マットを介して土壌部が形成されているとともに、給・排水手段は地下水採取用井戸から庭園用床の水槽部内に地下水を汲み上げるための汲み上げ手段付き給水管と、水槽部内が規定水位に達した際に上記汲み上げ手段の作動を停止させるリミットスイッチと、水槽部内が規定水位に達して満水となった際に、水槽部からオーバーフローした分の水を前記地下水採取用井戸内に還元させる排水管とからなる、自動灌水装置を備えた地上庭園に関する。
【０００６】
また本発明は、上記した構成の庭園用床の内底部に有する水槽部に、水槽部内が規定水位に達して満水となった際に、水槽部からオーバーフローした分の水を流出させて貯える濾過室を付設し、しかも該濾過室の内底面より一定高さ位置に、地下水採取用井戸内に還元させるための排水管の先端を臨ませてなるところの、請求項１に記載の自動灌水装置を備えた地上庭園にも関する。  さらに本発明は、上記した構成の庭園用床の内底部に有する水槽部に、消火用水採取部が設けられているところの、請求項１に記載の自動灌水装置を備えた地上庭園にも関する。
【０００７】
上記した構成において、地下水採取用井戸からモータポンプによる汲み上げ手段を駆動させて給水管を通じて庭園用床の水槽部に水を汲み上げる。  水量が給水マットに接する程度の規定水位に達するとリミットスイッチにより駆動電源が“ＯＦＦ”となり、上記汲み上げ手段の駆動が停止されて満水状態となる。  同時に吸水マットが水を順次吸水して土壌部に滲み込ませる。  水槽部内の水位が次第に低下し、あらかじめ設定した規定水位に達すると、前記したリミットスイッチにより駆動電源が“ＯＮ”となって、再度地下水採取用井戸からモータポンプによる汲み上げ手段を駆動させて、規定水位に達するまで給水管を通じて庭園用床の水槽部に水を汲み上げる。
【０００８】
かかる過程において、庭園用床上に自然雨水が降った場合には、土壌部に雨水が浸透し、過剰雨水が土壌部から吸水マットを通過して水槽部内に溜まる。  水槽部内の水が過剰になるとオーバーフローして排水管から地下水採取用井戸内に還元される。  なおこの場合、上記した構成の庭園用床の内底部に有する水槽部に、水槽部内が規定水位に達して満水となった際に、水槽部からオーバーフローした分の水を流出させて貯える濾過室を付設し、しかも該濾過室の内底面より一定高さ位置に、地下水採取用井戸内に還元させるための排水管の先端を臨ませてなるものである場合においては、水槽部内からオーバーフローした水が濾過室内に一旦落ち着き、そこで含有されている土砂を濾過室の底部に沈殿させてから排水管を通じて地下水採取用井戸内に還元される。
【０００９】
さらに庭園用床の内底部に有する水槽部に、消火用水採取部が設けられている場合においては、火災発生等非常時において、消火用ホースの基部を上記した庭園用床の消火用水採取部から水槽部内に差し込んで消火用水の採取をおこなうことができる。
【００１０】
【発明の実施の形態】
以下において本発明の具体的な内容を、一例として駐車場の屋上に地上庭園を設置した場合について、図１〜３にあらわした実施例をもとに説明すると、９は地表面Ｅより高い位置、すなわち支柱壁１０によって地上（車庫屋上）に設置された庭園用床、１１は該庭園用床９の近傍に掘削された地下水採取用井戸、１８は該地下水採取用井戸と前記庭園用床との間を連絡する給・排水手段をあらわす。  庭園用床９は、底部１および該底部からの周囲立ち上がり側壁２に防水加工を施して内底部に水槽部３を形成するとともに、該水槽部３の上方には保持枠６が形成され、さらに該保持枠６には吸水マット７を介して土壌部８が形成され、底部１から水槽部３、および吸水マット７、土壌部８をもって所定の厚みを有する庭園用床９を形成している。
【００１１】
なおこの場合に用いる吸水マット７については、ウレタン等スポンジ状の厚手のシートをはじめとした種々の吸水性のある材質のものを用い、さらに好ましくは細かい目の網の上に軽石を敷設したものを用いてもよい。  さらに土壌部８については、この細かい目の網の上に軽石を敷設したものをはじめとした吸水マット７の上面に一定厚みの土を敷くようにして構成する。
【００１２】
さらに庭園用床９の水槽部３には、その一部を仕切り壁２ａにより仕切って濾過室５が形成されており、しかも上記仕切り壁２ａには、水槽部３の満水高さに合わせて通孔４が形成されており、これによって水槽部３内が規定水位に達して満水となった際に、それ以上の増水分を水槽部３から通孔４を通じて濾過室５内にオーバーフローさせるようになっており、しかも該濾過室５の内底面より一定高さ位置には、後記する地下水採取用井戸１１内に還元させるための排水管１７の先端を臨ませてある。  なお上記した濾過室５を設けずに排水管１７の先端を水槽部３における前記した通孔４の高さ付近に直接臨ませるようにしてもよい。
【００１３】
地下水採取用井戸１１は、図３にその詳細を示したように、地下水位より深い位置に達するストレーナ管１２およびその外周面を覆うフィルタ材１４が埋設されており、しかも上記ストレーナ管１２内には、先端が井戸底部近くに達する給水管１５が装入されており、しかもストレーナ管１２の先端部には汲み上げ手段として電動駆動のポンプ１３が取り付けられている。  そして上記した給水管１５は、その先端部１５ａを庭園用床の水槽部３内に臨ませてあり、地下水採取用井戸１１から庭園用床の水槽部３内に地下水を汲み上げる。  なお地下水採取用井戸内に設置されるフィルタ材１４については、一般的には比較的粒子の細かい砂利や砕石類が用いられる。
【００１４】
また前記した排水管１７は、一端を地下水採取用井戸１１内に臨ませ、しかも水槽部３の立ち上がり側壁若しくは仕切り壁２ａには、先端のフロート（図示省略）を水槽部３内に臨ませたリミットスイッチ１６が取り付けられており、水位が規定水位以下の場合にはポンプ１３の駆動電源を“ＯＮ”にするとともに、規定水位に達した場合には駆動電源を“ＯＦＦ”にして給水管１５からの給水を自動的に停止させることができる。
【００１５】
このようにして地下水採取用井戸１１から庭園用床の水槽部３内に地下水を汲み上げるための汲み上げ手段（ポンプ１３）付きの給水管１５と、水槽部３内が規定水位に達した際に上記汲み上げ手段（ポンプ１３）の作動を停止させるリミットスイッチ１６と、水槽部３内が規定水位に達して満水となった際に、水槽部３からオーバーフローした分の水を前記地下水採取用井戸１１内に還元させる排水管１７とにより給・排水手段を構成している。  なお上記水槽部３に隣接させて濾過室５を付設するとともに、地下水採取用井戸内に還元させるための排水管の先端を該濾過室の内底面より一定高さ位置に臨ませるように構成した場合においては、水槽部からオーバーフローした水に含まれる土や砂を濾過室内において沈殿させることができ、一定期間毎に濾過室内底部に堆積した土砂を取り除くことにより、長期間にわたる自動灌水を継続させる。
【００１６】
また庭園用床９の内底部に有する水槽部３には、水槽部３を構成する立ち上がり側壁２における、水槽部３内の規定水位よりも低い位置に消火栓用の蓋付き取り出し口を設け、あるいは水槽部３の一部を上面に向けて開口させることにより消火用水採取部を設けるようにすると、火災等非常災害発生時に水槽部３内の水を消火用水として緊急利用することができる。  なおこの消火用水採取部は、前記した給水管１５の先端部１５ａを水槽部３内に臨ませた部分の水槽部３における上面開口面積を幾分大きめに開口させる程度でも十分に足りる。
【００１７】
なお図面において、Ｅ１は地表面Ｅ上に施された耐水層であり、具体的にはコンクリートやアスファルトその他雨水を地中に透過させないシートを敷設する等により施され、しかも該耐水層Ｅ１は、図３にあらわしたように地下水採取用井戸１１内に臨ませる排水管１７の基部周辺に形成された排水口１７ａ付近を最低部として、そこから遠ざかるにつれ次第に高さを増すように構成されており、これによって当該地上庭園を設けた敷地部分のみならず、その周辺の敷地内に降雨した雨水の略すべてを排水口１７ａを通じて地下水採取用井戸１１内に還元することにより、地上庭園に対する灌水による地盤低下などの虞れを完全に解消することができる。
【００１８】
【発明の効果】
本発明は上記した通り、地上に設置された庭園用床と、該庭園用床の近傍に掘削された地下水採取用井戸と、該地下水採取用井戸と前記庭園用床との間を連絡する給・排水手段とからなり、庭園用床は内底部に水槽部を有し、しかも該水槽部の上方に吸水マットを介して土壌部が形成されているとともに、給・排水手段は地下水採取用井戸から庭園用床の水槽部内に地下水を汲み上げるための汲み上げ手段付き給水管と、水槽部内が規定水位に達した際に上記汲み上げ手段の作動を停止させるリミットスイッチと、水槽部内が規定水位に達して満水となった際に、水槽部からオーバーフローした分の水を前記地下水採取用井戸内に還元させる排水管とからなるものであるために、水道水を全く使用することがなく、しかも水槽部内の水量が低下した場合にのみ地下水採取用井戸から給水させ、また雨水等をそのまま利用できるために、特に夏季の渇水期においても最低減に節水ができ、しかも管理費用が低減でき、また過剰の雨水を地下に還元することができるために自然環境の復元も可能となる。
【００１９】
また上記した構成の庭園用床の内底部に有する水槽部に、水槽部内が規定水位に達して満水となった際に、水槽部からオーバーフローした分の水を流出させて貯える濾過室を付設し、しかも該濾過室の内底面より一定高さ位置に、地下水採取用井戸内に還元させるための排水管の先端を臨ませてなる場合においては、水槽部からオーバーフローして流出した水に含まれる土や砂を濾過質内において沈殿させ、その上澄みのみを地下水採取用井戸内に還元するために、排水管や地下水採取用井戸内のフィルタ材を目詰まりさせることがなく、定期的に濾過室内底部に堆積した土や砂を取り除くことで、長期間にわたる自動灌水を継続させることができる。
【００２０】
さらに上記した構成の庭園用床の内底部に有する水槽部に、消火用水採取部が設けられている場合においては、火災発生時において、消火用ホースの基部を上記した庭園用床の消火用水採取部から水槽部内に差し込んで消火用水の採取をおこなうことができ、非常災害時に緊急利用することができる。  さらに地表面上に耐水層を施こして当該地上庭園を設けた敷地部分のみならず、その周辺の敷地内に降雨した雨水の略すべてを排水口を通じて地下水採取用井戸内に還元することにより、地上庭園に対する灌水による地盤低下などの虞れを完全に解消することができる。
【図面の簡単な説明】
【図１】  本発明の自動灌水装置を備えた地上庭園を駐車場の屋上に設置した一例をあらわす概略断面図。
【図２】  図１におけるＡ部分の拡大図。
【図３】  地下水採取用井戸の拡大断面図。
【符号の説明】
１          底部
２          立ち上がり側壁
２ａ        仕切り壁
３          水槽部
４          通孔
５          濾過室
６          保持枠
７          吸水マット
８          土壌部
９          庭園用床
１０        支柱壁
１１        地下水採取用井戸
１２        ストレーナ管
１３        ポンプ
１４        フィルタ材
１５        給水管
１５ａ      給水管先端部
１６        リミットスイッチ
１７        排水管
１７ａ      排水口
１８        給・排水手段
Ｅ          地表面
Ｅ１        耐水層
【図１】
0003917275.tif 000002
【図２】
0003917275.tif 000003
【図３】
0003917275.tif 000004